(57)【要約】      （修正有）【課題】簡易な構成で巻胴部を容易に伸縮することができ、部品点数を少なくしてコストを安くすることができるケーブルドラムを提供する。【解決手段】ケーブルドラム１は、巻胴部２が、軸方向に伸縮自在に形成され、円環状に離間して配置された３つの伸縮胴部１０で構成される。各伸縮胴部１０は、３つの筒状部材１１〜１３を有し、３つの筒状部材１１〜１３は、収縮状態において、外側の筒状部材の内部空間に内側の筒状部材が収容され、伸縮胴部１０が伸長した伸長状態で、内側筒状部材を外側の外側筒状部材に係止して内側筒状部材の収縮方向への移動を規制するロック機構２５を有する。ロック機構２５は、内側筒状部材のテーパー面から突出し、外側筒状部材の内周よりも外側に延在する凸部を有し、凸部が外側筒状部材の内周より外側に突出した突出状態と、凸部が外側筒状部材の内周より内側に埋没した埋没状態とに切り替わる。【選択図】図１
0003232325.tif 000002
【実用新案登録請求の範囲】
【請求項１】
ケーブルが巻回される巻胴部と、
前記巻胴部の軸方向の両端に設けられた一対の鍔部と、を備え、
前記巻胴部は、
前記軸方向に伸縮自在に形成され、円環状に離間して配置された複数の伸縮胴部で構成され、
各伸縮胴部は、複数の筒状部材を有し、
複数の前記筒状部材は、
前記伸縮胴部が収縮した収縮状態において、外側の前記筒状部材の内部空間に内側の前記筒状部材が収容され、
前記伸縮胴部が伸長した伸長状態において、前記内側筒状部材を外側の外側筒状部材に係止して前記内側筒状部材の前記収縮方向への移動を規制するロック機構を有し、
前記ロック機構は、
前記内側筒状部材の前記外周面から突出し、少なくとも前記外側筒状部材の内周よりも外側に延在する凸部を有し、
前記凸部が前記外側筒状部材の内周より外側に突出した突出状態と、前記凸部が前記外側筒状部材の内周より内側に埋没した埋没状態とに切り替わる、
ことを特徴とするケーブルドラム。
【請求項２】
複数の前記伸縮胴部は、
前記軸方向の一方に伸長するものと他方に伸長するものとが円環状に離間して交互に配置されている、
請求項１に記載のケーブルドラム。
【請求項３】
各前記筒状部材は、
前記ケーブルが前記巻胴部に巻回された巻回状態で当該ケーブルと接触する面が、外側に凸状の湾曲面である、
請求項１または２に記載のケーブルドラム。
【考案の詳細な説明】
【技術分野】
【０００１】
本考案は、ケーブルドラムに関する。
【背景技術】
【０００２】
従来、ケーブル等の長物を輸送、保管する場合、ケーブルドラムに巻きつけている。長物が巻回されていないケーブルドラムを保管する場合、例えば、巻胴部から鍔部を取り外して分解するか、分解することなく、巻胴部に長物をすぐに巻回できる状態にしている。例えば、特許文献１では、中間胴部の中央部に折り畳み機構を設けたケーブル用巻き取りドラムが記載されている。また、特許文献２では、巻胴部以外に、鍔部に着脱可能で一対の鍔部間を連結する伸縮機構部材が記載されている。
【先行技術文献】
【特許文献】
【０００３】
【特許文献１】特開２００４−４３１７６号公報
【特許文献２】特開２０２０−１３８８４０号公報
【考案の概要】
【考案が解決しようとする課題】
【０００４】
しかしながら、ケーブルドラムを分解して保管する場合、分解作業及び組立作業が必要となり、作業工数の多さの点で改善の余地がある。また、長物が巻回されていないケーブルドラムを分解することなくドラム置き場に保管する場合、当該ドラム置き場が限られたスペースであるときに、そこに保管できるケーブルドラムの個数が限られることから改善の余地がある。
【０００５】
本考案は、上記課題に鑑みてなされたものであって、簡易な構成で巻胴部を容易に伸縮することができ、部品点数を少なくしてコストを安くすることができるケーブルドラムを提供することを目的とする。
【課題を解決するための手段】
【０００６】
上記目的を達成するために、本考案に係るケーブルドラムは、ケーブルが巻回される巻胴部と、前記巻胴部の軸方向の両端に設けられた一対の鍔部と、を備え、前記巻胴部は、前記軸方向に伸縮自在に形成され、円環状に離間して配置された複数の伸縮胴部で構成され、各伸縮胴部は、複数の筒状部材を有し、複数の前記筒状部材は、前記伸縮胴部が収縮した収縮状態において、外側の前記筒状部材の内部空間に内側の前記筒状部材が収容され、前記伸縮胴部が伸長した伸長状態において、前記内側筒状部材を外側の外側筒状部材に係止して前記内側筒状部材の前記収縮方向への移動を規制するロック機構を有し、前記ロック機構は、前記内側筒状部材の前記外周面から突出し、少なくとも前記外側筒状部材の内周よりも外側に延在する凸部を有し、前記凸部が前記外側筒状部材の内周より外側に突出した突出状態と、前記凸部が前記外側筒状部材の内周より内側に埋没した埋没状態とに切り替わる、ことを特徴とする。
【考案の効果】
【０００７】
本考案に係るケーブルドラムによれば、簡易な構成で巻胴部を容易に伸縮することができ、部品点数を少なくしてコストを安くすることができる、という効果を奏する。
【図面の簡単な説明】
【０００８】
【図１】図１は、本実施形態に係るケーブルドラムを軸方向と直交する方向から見た図である。
【図２】図２は、本実施形態に係るケーブルドラムを軸方向から見た図である。
【図３】図３は、本実施形態に係る伸縮胴部の収縮状態を示す図である。
【図４】図４（Ａ）は、本実施形態に係る伸縮胴部の伸長状態を外側の一方から見た図、図４（Ｂ）は、伸縮胴部の伸長状態を外側の他方から見た図である。
【図５】図５（Ａ）は、本実施形態に係る第一筒状部材を示す図、図５（Ｂ）は、第二筒状部材を示す図である。
【図６】図６（Ａ）は、本実施形態に係る第一及び第二筒状部材を伸縮方向から見た図、図６（Ｂ）は、第一及び第二筒状部材を外周の湾曲面から見た図である。
【図７】図７は、本実施形態に係る第三筒状部材を示す図である。
【図８】図８（Ａ）は、本実施形態に係る第三筒状部材を伸縮方向から見た図、図８（Ｂ）は、第三筒状部材を外周の湾曲面から見た図である。
【図９】図９（Ａ）は、本実施形態に係るロック機構のロック状態を示す図、図９（Ｂ）は、本実施形態に係るロック機構のロック解除状態を示す模式図である。
【図１０】図１０（Ａ）は、本実施形態に係る伸縮胴部におけるロック機構のロック状態時の作用を説明するための図、図１０（Ｂ）は、本実施形態に係る伸縮胴部におけるロック機構のロック解除状態時の作用を説明するための図である。
【考案を実施するための形態】
【０００９】
以下に、本考案の実施形態に係るケーブルドラムを図面に基づいて詳細に説明する。なお、この実施形態によりこの考案が限定されるものではない。また、下記実施形態における構成要素には、当業者が置換可能かつ容易なもの、あるいは実質的に同一のものが含まれる。
【００１０】
［実施形態］
図１は、本実施形態に係るケーブルドラムを軸方向と直交する方向から見た図である。図２は、本実施形態に係るケーブルドラムを軸方向から見た図である。図３は、本実施形態に係る伸縮胴部の収縮状態を示す図である。図４（Ａ）は、本実施形態に係る伸縮胴部の伸長状態を外側の一方から見た図、図４（Ｂ）は、伸縮胴部の伸長状態を外側の他方から見た図である。図５（Ａ）は、本実施形態に係る第一筒状部材を示す図、図５（Ｂ）は、第二筒状部材を示す図である。図６（Ａ）は、本実施形態に係る第一及び第二筒状部材を伸縮方向から見た図、図６（Ｂ）は、第一及び第二筒状部材を外周の湾曲面から見た図である。図７は、本実施形態に係る第三筒状部材を示す図である。図８（Ａ）は、本実施形態に係る第三筒状部材を伸縮方向から見た図、図８（Ｂ）は、第三筒状部材を外周の湾曲面から見た図である。図９（Ａ）は、本実施形態に係るロック機構のロック状態を示す図、図９（Ｂ）は、本実施形態に係るロック機構のロック解除状態を示す模式図である。図１０（Ａ）は、本実施形態に係る伸縮胴部におけるロック機構のロック状態時の作用を説明するための図、図１０（Ｂ）は、本実施形態に係る伸縮胴部におけるロック機構のロック解除状態時の作用を説明するための図である。なお、図６（Ｂ）は、図６（Ａ）に示す矢印Ｆから筒状部材を見た図、図６（Ｃ）は、図６（Ａ）に示す矢印Ｇから筒状部材を見た図である。図８（Ｂ）は、図８（Ａ）に示す矢印Ｆから筒状部材を見た図、図８（Ｃ）は、図８（Ａ）に示す矢印Ｇから筒状部材を見た図である。
【００１１】
なお、以下の説明では、図１に示すケーブルドラム１の軸線Ｏを軸方向とし、軸方向に直交する方向を径方向とする。また、便宜的に、軸方向のうちの一方をＤ１方向、他方をＤ２方向とする。図３以降に示す伸縮胴部１０の伸縮する方向を伸縮方向とする。また、便宜的に、伸縮方向のうち伸長方向をＥ１方向、収縮方向をＥ２方向とする。なお、伸縮方向は、必ずしも軸方向と沿うものではない。
【００１２】
本実施形態に係るケーブルドラム１は、図１、図２に示すように、巻胴部２と、一対の鍔部３とで構成される。
【００１３】
巻胴部２は、ケーブル（不図示）が巻回される部分である。本実施形態の巻胴部２は、ケーブルドラム１の軸方向において伸縮自在に構成される。
【００１４】
一対の鍔部３は、巻胴部２の軸方向の両端に設けられ、巻胴部２を軸方向から挟持することで、当該巻胴部２の外周に巻回されるケーブルを軸方向からガイドする機能を有する。各鍔部３は、軸方向から見た形状が円形状に形成される。各鍔部３は、軸穴３ａを有する。軸穴３ａは、軸方向に貫通する正円状の貫通孔であり、軸棒（不図示）が挿入されることにより、軸受としての機能を有する。一対の鍔部３のうち、一方の鍔部３の軸穴３ａと、他方の鍔部３の軸穴３ａとは、軸方向において対向する位置にある。
【００１５】
巻胴部２は、図１〜図３、図４（Ａ）、図４（Ｂ）に示すように、３つの伸縮胴部１０で構成される。３つの伸縮胴部１０は、それぞれが軸方向に伸縮自在に形成される。３つの伸縮胴部１０は、軸方向の一方（Ｄ１方向）に伸長するものと他方（Ｄ２方向）に伸長するものとが円環状に離間して交互に配置されている。３つの伸縮胴部１０の間には空間が形成されており、当該空間は、一対の鍔部３のうち一方の鍔部３の軸穴３ａ及び他方の鍔部３の軸穴３ａを介して外部空間と連通し、軸棒が一方の軸穴３ａから他方の軸穴３ａに挿通可能になっている。各伸縮胴部１０の両端は、各伸縮胴部１０が最大伸長状態において、軸方向と略平行になるように、各鍔部３に対して斜めに固定されている。各伸縮胴部１０は、図４の（Ａ）、図４の（Ｂ）に示すように、３つの筒状部材１１，１２，１３で構成される。３つの筒状部材１１〜１３は、伸縮胴部１０が伸長状態において、伸長方向（図３のＥ１方向）に向かって筒状部材１３，１２，１１の順に配置されている。３つの筒状部材１１〜１３は、伸縮胴部１０が伸長する際に、筒状部材１３を基準に当該筒状部材１３から伸長方向（Ｅ１方向）に筒状部材１１，１２が順に伸長するように構成される。３つの伸縮胴部１０は、軸方向の一方に伸長するものと他方に伸長するものとが円環状に離間して交互に配置されていることから、一対の鍔部３のうち、Ｄ１方向側の鍔部３には、１つの伸縮胴部１０の筒状部材１１と、２つの伸縮胴部１０の各筒状部材１３とが固定され、Ｄ２方向側の鍔部３には、２つの伸縮胴部１０の各筒状部材１１と、１つの伸縮胴部１０の筒状部材１３とが固定される。
【００１６】
３つの筒状部材１１〜１３は、内部空間Ｓ１〜Ｓ３を有し、これら内部空間Ｓ１〜Ｓ３が、伸縮胴部１０が伸長した伸長状態で連通して１つの空間を形成する。３つの筒状部材１１〜１３は、図３に示す伸縮胴部１０が収縮した収縮状態において、外側の筒状部材の内部空間に内側の筒状部材が収容される。具体的には、筒状部材１１（第一筒状部材）は、上記収縮状態において、外側の筒状部材１２（第二筒状部材）の内部空間Ｓ２に収容される。この場合、筒状部材１１が内側筒状部材となり、筒状部材１２が外側筒状部材となる。筒状部材１２は、上記収縮状態において、外側の筒状部材１３（第三筒状部材）の内部空間Ｓ３に収容される。この場合、筒状部材１２が内側筒状部材となり、筒状部材１３が外側筒状部材となる。３つの筒状部材１１〜１３のうち、筒状部材１１が最も小さく、筒状部材１３が最も大きい。
【００１７】
筒状部材１１，１２は、図５の（Ａ）、図５の（Ｂ）、図６の（Ａ）、図６の（Ｂ）に示すように、それぞれが外周面２０と、内部空間Ｓ１，Ｓ２を形成する内周面３０と、ロック機構２５とを有する。筒状部材１３は、図７、図８の（Ａ）、図８の（Ｂ）に示すように、外周面２０と、内部空間Ｓ３を形成する内周面３０とを有する。
【００１８】
筒状部材１１の外周面２０は、テーパー面２１−１と、非テーパー面２２−１と、一対の外周側湾曲面２３Ａ１，２３Ｂ１とで構成される。テーパー面２１−１と非テーパー面２２−１とは、筒状部材１１の延在方向と直交する第一対向方向に対向し、かつ各外周側湾曲面２３Ａ１，２３Ｂ１を挟んで連結されている。一対の外周側湾曲面２３Ａ１，２３Ｂ１は、上記延在方向及び上記第一対向方向と直交する第二対向方向に対向する。テーパー面２１−１は、伸縮胴部１０の収縮方向（Ｅ２方向）の端部から伸長方向（Ｅ１方向）に外側から内側に向けて傾斜する。非テーパー面２２−１は、傾斜していない面である。外周側湾曲面２３Ａ１は、外側に凸状の湾曲面であり、ケーブルが巻胴部２に巻回された巻回状態でケーブルと接触する面である。外周側湾曲面２３Ｂ１は、内側に凹状の湾曲面である。外周側湾曲面２３Ａ１は、伸縮胴部１０の収縮方向（Ｅ２方向）の端部から伸長方向（Ｅ１方向）に外側から内側に向けて傾斜する。
【００１９】
筒状部材１１の内周面３０は、一対の非テーパー面３２−１Ｃ，３２−１Ｄと、一対の内周側湾曲面３３Ａ１，３３Ｂ１とで構成される。一対の非テーパー面３２−１Ｃ，３２−１Ｄとは、筒状部材１１の上記第一対向方向に対向し、かつ各内周側湾曲面３３Ａ１，３３Ｂ１を挟んで連結されている。一対の外周側湾曲面３３Ａ１，３３Ｂ１は、上記第二対向方向に対向する。内周側湾曲面３３Ａ１は、外側に凸状の湾曲面であり、外周側湾曲面２３Ａ１と同一方向に凸状に形成される。内周側湾曲面３３Ｂ１は、内側に凹状の湾曲面であり、外周側湾曲面２３Ｂ１と同一方向に凹状に形成される。
【００２０】
筒状部材１２の外周面２０は、テーパー面２１−２と、非テーパー面２２−２と、一対の外周側湾曲面２３Ａ２，２３Ｂ２とで構成される。テーパー面２１−２と非テーパー面２２−２とは、筒状部材１２の延在方向と直交する第一対向方向に対向し、かつ各外周側湾曲面２３Ａ２，２３Ｂ２を挟んで連結されている。一対の外周側湾曲面２３Ａ２，２３Ｂ２は、上記延在方向及び上記第一対向方向と直交する第二対向方向に対向する。テーパー面２１−２は、外周側テーパー面の一例であり、伸縮胴部１０の収縮方向（Ｅ２方向）の端部から伸長方向（Ｅ１方向）に外側から内側に向けて傾斜する。非テーパー面２２−２は、傾斜していない面である。外周側湾曲面２３Ａ２は、外側に凸状の湾曲面であり、ケーブルが巻胴部２に巻回された巻回状態でケーブルと接触する面である。外周側湾曲面２３Ｂ２は、内側に凹状の湾曲面である。外周側湾曲面２３Ａ２は、伸縮胴部１０の収縮方向（Ｅ２方向）の端部から伸長方向（Ｅ１方向）に外側から内側に向けて傾斜する。
【００２１】
筒状部材１２の内周面３０は、一対の非テーパー面３２−２Ｃ，３２−２Ｄと、一対の内周側湾曲面３３Ａ２，３３Ｂ２とで構成される。一対の非テーパー面３２−２Ｃ，３２−２Ｄとは、筒状部材１２の上記第一対向方向に対向し、かつ各内周側湾曲面３３Ａ２，３３Ｂ２を挟んで連結されている。一対の外周側湾曲面３３Ａ２，３３Ｂ２は、上記第二対向方向に対向する。内周側湾曲面３３Ａ２は、外側に凸状の湾曲面であり、外周側湾曲面２３Ａ２と同一方向に凸状に形成される。内周側湾曲面３３Ｂ２は、内側に凹状の湾曲面であり、外周側湾曲面２３Ｂ２と同一方向に凹状に形成される。内周側湾曲面３３Ａ２は、伸縮胴部１０の収縮方向（Ｅ２方向）の端部から伸長方向（Ｅ１方向）に外側から内側に向けて傾斜する。
【００２２】
筒状部材１３の外周面２０は、一対の非テーパー面２２−３と、一対の外周側湾曲面２３Ａ３，２３Ｂ３とで構成される。一対の非テーパー面２２−３は、上記第一対向方向に対向し、かつ各外周側湾曲面２３Ａ３，２３Ｂ３を挟んで連結されている。一対の外周側湾曲面２３Ａ３，２３Ｂ３は、上記第二対向方向に対向する。
【００２３】
筒状部材１３の内周面３０は、一対の非テーパー面３２−３Ｃ，３２−３Ｄと、一対の内周側湾曲面３３Ａ３，３３Ｂ３とで構成される。一対の非テーパー面３２−３Ｃ，３２−３Ｄは、上記第一対向方向に対向し、かつ各内周側湾曲面３３Ａ３，３３Ｂ３を挟んで連結されている。一対の内周側湾曲面３３Ａ３，３３Ｂ３は、上記第二対向方向に対向する。内周側湾曲面３３Ａ３は、外側に凸状の湾曲面であり、外周側湾曲面２３Ａ３と同一方向に凸状に形成される。内周側湾曲面３３Ｂ３は、内側に凹状の湾曲面であり、外周側湾曲面２３Ｂ３と同一方向に凹状に形成される。内周側湾曲面３３Ａ３は、伸縮胴部１０の収縮方向（Ｅ２方向）の端部から伸長方向（Ｅ１方向）に外側から内側に向けて傾斜する。
【００２４】
筒状部材１１のテーパー面２１−１は、筒状部材１１が筒状部材１２の内部空間Ｓ２に収容された収容状態において、筒状部材１２の非テーパー面３２−２Ｃに対向し、かつ、筒状部材１１の非テーパー面２２−１は、筒状部材１２の非テーパー面３２−１Ｄに対向する。
【００２５】
筒状部材１１の外周側湾曲面２３Ａ１は、筒状部材１１が筒状部材１２の内部空間Ｓ２に収容された収容状態において、筒状部材１２の内周側湾曲面３３Ａ２に対向し、かつ、筒状部材１１の外周側湾曲面２３Ｂ１は、筒状部材１２の内周側湾曲面３３Ｂ２に対向する。
【００２６】
筒状部材１２のテーパー面２１−２は、筒状部材１２が筒状部材１３の内部空間Ｓ３に収容された収容状態において、筒状部材１３の非テーパー面３２−３Ｃに対向し、かつ、筒状部材１２の非テーパー面２２−２は、筒状部材１３の非テーパー面３２−３Ｄに対向する。
【００２７】
筒状部材１２の外周側湾曲面２３Ａ２は、筒状部材１２が筒状部材１３の内部空間Ｓ３に収容された収容状態において、筒状部材１３の内周側湾曲面３３Ａ３に対向し、かつ、筒状部材１２の外周側湾曲面２３Ｂ２は、筒状部材１３の内周側湾曲面３３Ｂ３に対向する。
【００２８】
筒状部材１１，１２は、それぞれがロック機構２５を有するが、筒状部材１３は、ロック機構を有していない。ロック機構２５は、外周面２０のうち、テーパー面２１−１，２１−２にのみ設けられており、非テーパー面２２−１，２２−２、外周側湾曲面２３Ａ１〜２３Ａ３，２３Ｂ１〜２３Ｂ３には、ロック機構２５が設けられていない。
【００２９】
ロック機構２５は、オルタネイト動作を行うものである。オルタネイト動作とは、例えば、一度押しボタン４０を押した後は、押す力を取り除いても動作状態を維持し続け、さらにもう一度押しボタン４０を押すことによって元の状態に復帰する動作である。ロック機構２５は、図９の（Ａ）、図９の（Ｂ）に示すように、押しボタン４０と、支持棒４１と、オルタネイト機構部４２とを有する。
【００３０】
押しボタン４０は、凸部の一例であり、内側筒状部材（１１，１２）のテーパー面（２１−１，２１−２）から突出し、少なくとも外側筒状部材（１２，１３）の内周よりも外側に延在する。押しボタン４０は、具体的には、支持棒４１の延在方向の一方の端部に固定され、支持棒４１を介してオルタネイト機構部４２に接続されている。オルタネイト機構部４２は、ピン部４３と、底板４４と、コイルばね４５と、鋸歯状部４６とを含んで構成される。これらは、例えば円筒状筐体に収容される。なお、オルタネイト機構部４２は、例示した構成に限定されるものではなく、部分的に省略されているものもある。
【００３１】
ピン部４３は、一端が支持棒４１の途中に係止され、他端が鋸歯状部４６に対して下方側から当接するように構成されている。支持棒４１は、上端が押しボタン４０に嵌合され、下端が底板４４に係止されている。コイルばね４５は、上端が底板４４に係止され、下端が円筒状筐体の底壁に係止されており、底板４４を介して支持棒４１を上下方向に付勢する。ピン部４３は、支持棒４１と共に、コイルばね４５の収縮／反発作用によって上下に動くものである。鋸歯状部４６は、歯の先部分と根元部分に第一切り欠き部４６ａと第二切り欠き部４６ｂとを有する。鋸歯状部４６の歯の部分がピン部４３のガイドとして機能し、第一切り欠き部４６ａ、第二切り欠き部４６ｂがピン部４３の停止位置として機能する。
【００３２】
ロック機構２５は、押しボタン４０が押下されると、支持棒４１を介して底板４４がコイルばね４５を圧縮し、ピン部４３が第一切り欠き部４６ａの位置で停止する（図９の（Ａ））。押しボタン４０は、押し下げられた位置で維持され、ロック機構２５がロック状態となる。再度、押しボタン４０が押下されると、ピン部４３が第一切り欠き部４６ａの位置から下方向に移動する。その後、ピン部４３は、第一切り欠き部４６ａと第二切り欠き部４６ｂとの間の歯の先端を乗り越え、コイルばね４５の付勢力により支持棒４１が押し上げられ鋸歯状部４６に沿って第二切り欠き部４６ｂに移動し、第二切り欠き部４６ｂで停止する（図９の（Ｂ））。押しボタン４０は、押し下げられる前の位置まで戻り、その位置が維持され、ロック機構２５がロック解除状態となる。
【００３３】
ケーブルが巻回されていないケーブルドラム１において、巻胴部２を収縮する場合、作業者は、各伸縮胴部１０の２つのロック機構２５を操作してロック解除状態からロック状態にする。この場合、作業者は、各ロック機構２５の押しボタン４０を押し込んで、押しボタン４０が筒状部材１２の内周より外側に突出した突出状態から、押しボタン４０が筒状部材１２の内周より内側に埋没した埋没状態に切り替える。このとき、押しボタン４０の上端は、例えば、図１０の（Ａ）に示すように、押しボタン４０周囲のテーパー面２１−１，２１−２と同一面上に位置する。
【００３４】
次に、作業者は、一対の鍔部３のうち、一方を動かないように固定し、他方を軸方向の一方の鍔部３側に突き当たるまで押し込んでいく。このとき、各伸縮胴部１０は、図４の（Ａ）、図４の（Ｂ）に示す伸長状態から、図３に示す収縮状態に変化する。なお、各伸縮胴部１０が収縮状態となっても一対の鍔部３が軸方向に接触するわけではなく、巻胴部２の軸方向の長さが短くなることから、収縮状態であってもケーブルドラム１にケーブル等を巻回することは可能である。
【００３５】
ケーブルが巻回されていないケーブルドラム１において、巻胴部２を伸長する場合、作業者は、一対の鍔部３のうち、一方を動かないように固定し、他方を軸方向外側に引き出していく。このとき、各伸縮胴部１０は、図３に示す収縮状態から図４の（Ａ）、図４の（Ｂ）に示す伸長状態に変化する。収縮状態で内側と外側とで隣り合う２つの筒状部材のうち、内側に配置される内側筒状部材の外周面の一部と外側に配置される外側筒状部材の内周面の一部とが当接することにより伸縮胴部１０の伸長方向（Ｅ１）への伸長を規制する。例えば、収縮状態で筒状部材１１の外周側湾曲面２３Ａ１の一部と筒状部材１２の内周側湾曲面３３Ａ２の一部とが当接することにより伸縮胴部１０の伸長方向（Ｅ１）への伸長を規制する。また、収縮状態で筒状部材１２の外周側湾曲面２３Ａ２の一部と筒状部材１３の内周側湾曲面３３Ａ３の一部とが当接することにより伸縮胴部１０の伸長方向（Ｅ１）への伸長を規制する。これにより、伸縮胴部１０を最大に引き出した位置で筒状部材同士が干渉し、伸長方向への伸長を規制することができる。
【００３６】
次に、作業者は、各伸縮胴部１０の２つのロック機構２５が外側筒状部材に隠れることなく、操作可能な状態となったことを確認し、各ロック機構２５を操作してロック状態からロック解除状態にする。この場合、作業者は、各ロック機構２５の押しボタン４０を再度押し込んで、押しボタン４０が筒状部材１２の内周より内側に埋没した埋没状態から、押しボタン４０が筒状部材１２の内周より外側に突出した突出状態に切り替える。このとき、押しボタン４０の上端は、図１０の（Ｂ）に示すように、押しボタン４０周囲のテーパー面２１−１，２１−２より上側（径方向外側）に位置する。以上により、作業者は、工具を使って難しい作業を行うことなく、ケーブルが巻回されていないケーブルドラム１全体の容積を小さくすることができる。
【００３７】
以上説明したように、本実施形態に係るケーブルドラム１は、巻胴部２が、軸方向に伸縮自在に形成され、円環状に離間して配置された３つの伸縮胴部１０で構成される。各伸縮胴部１０は、３つの筒状部材１１〜１３を有し、３つの筒状部材１１〜１３は、収縮状態において、外側の筒状部材の内部空間に内側の筒状部材が収容され、伸縮胴部１０が伸長した伸長状態で、内側筒状部材を外側の外側筒状部材に係止して内側筒状部材の収縮方向への移動を規制するロック機構２５を有する。ロック機構２５は、内側筒状部材のテーパー面２１−１，２１−２から突出し、外側筒状部材の内周よりも外側に延在する凸部を有し、凸部が外側筒状部材の内周より外側に突出した突出状態と、凸部が外側筒状部材の内周より内側に埋没した埋没状態とに切り替わる。
【００３８】
上記構成により、簡易な構成で巻胴部を容易に伸縮することができ、長物が巻回されていないケーブルドラムを短期間で用意することできる。また、特許文献１に比べて、部品点数を少なくして巻胴部の軸方向の伸縮を実現することができ、部品コストを安くすることができる。
【００３９】
また、本実施形態に係るケーブルドラム１は、３つの伸縮胴部１０が、軸方向の一方に伸長するものと他方に伸長するものとが円環状に離間して交互に配置されている。これにより、巻胴部２が３つの伸縮胴部１０で構成されていても、巻胴部２にケーブルを巻く際に、当該ケーブルが巻胴部２の軸方向の一方に偏ることなく、ケーブルを巻回することができる。この結果、３つの伸縮胴部１０のうち、軸方向の一方に伸長するものを円環状に離間して配置したものと比較して、作業者のケーブルの巻きやすさを向上させることができる。
【００４０】
また、本実施形態に係るケーブルドラム１は、各筒状部材１１，１２，１３は、ケーブルが巻胴部２に巻回された巻回状態で当該ケーブルと接触する面が、外側に凸状の湾曲面である。これにより、ケーブルと接触する筒状部材の接触面に角部がなくなるので、ケーブル巻回時に、当該ケーブルを保護することができる。
【００４１】
また、本実施形態に係るケーブルドラム１は、外側に配置される外側筒状部材は、少なくとも内周面３０のうち外周側テーパー面（２３Ａ１，２３Ａ２）と対向する面に伸縮胴部１０から伸長方向（Ｅ１）に外側から内側に向けて傾斜する内周側テーパー面（３３Ａ２、３３Ａ３）を有する。収縮状態で内側と外側とで隣り合う２つの筒状部材（１１，１２、または、１２，１３）のうち、内側に配置される内側筒状部材の外周側テーパー面の一部と外側に配置される外側筒状部材の内周側テーパー面の一部とが当接することにより伸縮胴部１０の伸長方向（Ｅ１）への伸長を規制する。これにより、内側筒状部材が外側筒状部材から伸長方向において外れることを抑制することができる。
【００４２】
なお、上記実施形態では、ロック機構２５は、オルタネイト動作を行うものであれば、上述した構成に限定されるものではない。例えば、ハートカム方式、回転カム方式、ラチェットカム方式等の各種方式でオルタネイト動作が実現できればよい。ロック機構２５は、例えば、特開２００９−３２４０２号公報に記載された技術を用いてもよい。
【００４３】
また、上記実施形態では、巻胴部２は、３つの伸縮胴部１０で構成されているが、これに限定されるものではなく、４つ以上の伸縮胴部１０で構成されていてもよい。
【００４４】
また、上記実施形態では、各伸縮胴部１０は、当該伸縮胴部１０を構成する筒状部材１１〜１３の断面形状が図６の（Ａ）、図８の（Ａ）に示す弓形形状となっているが、これに限定されるものではない。例えば、筒状部材１１〜１３において、ケーブルが巻胴部２に巻回された巻回状態でケーブルと接触する面が湾曲するものであれば、どのような断面形状であってもよい。
【００４５】
また、上記実施形態では、各伸縮胴部１０は、３つの筒状部材１１〜１３で構成されているが、これに限定されるものではなく、巻回する長物のサイズや種類によって、３つ以上であっても２つであってもよい。
【符号の説明】
【００４６】
１  ケーブルドラム
２  巻胴部
３  鍔部
１０  伸縮胴部
１１，１２，１３  筒状部材
２０  外周面
２５  ロック機構
３０  内周面
４０  押しボタン
４２  オルタネイト機構部
Ｓ１，Ｓ２，Ｓ３  内部空間
【図１】
0003232325.tif 000003
【図２】
0003232325.tif 000004
【図３】
0003232325.tif 000005
【図４】
0003232325.tif 000006
【図５】
0003232325.tif 000007
【図６】
0003232325.tif 000008
【図７】
0003232325.tif 000009
【図８】
0003232325.tif 000010
【図９】
0003232325.tif 000011
【図１０】
0003232325.tif 000012